(57)【要約】【課題】ＳＰ−ＣＳＩレポーティングとＳＰＳは基本的な仕組みは同じだが、一方はＣＳＩをＰＵＳＣＨを用いて運ぶものであり、一方は音声等の情報をＰＵＳＣＨを用いて運ぶものであるため、詳細は異なる。まったく同じ処理では効率が悪いため、それぞれに対して適切な設定が存在することが想定される。本発明の目的は、効率的に準静的ＣＳＩレポーティングをおこなうこと。【解決手段】ＤＣＩフォーマットの中のＭＣＳに関するフィールドを全て０に設定することで、ＰＤＣＣＨの誤検出率を下げる。変調方式としてはフィールドの値に依らずＱＰＳＫを用いて伝送を行う。【選択図】図４
2019114849.tif 000002
【特許請求の範囲】
【請求項１】
基地局装置と通信する端末装置であって、
アップリンク伝送のためのＰＤＣＣＨを受信する無線受信部と、前記ＰＤＣＣＨを復号する制御部と、準静的ＣＳＩが含まれるＰＵＳＣＨを送信する送信部を備え、
前記制御部はＳＰ−ＣＳＩ  ＲＮＴＩによってスクランブリングされたＣＲＣを含むＰＤＣＣＨを受信し、
前記ＰＤＣＣＨには、ＭＣＳに関するフィールドが少なくとも含まれ、
前記制御部は、少なくとも前記ＭＣＳに関するフィールドが所定の値の場合、前記ＰＤＣＣＨを有効とし、
前記送信部は、前記ＭＣＳに関するフィールドによらず、所定の変調方式で送信を行う端末装置。
【請求項２】
前記ＰＤＣＣＨには、さらにＨＡＲＱプロセス番号に関するフィールドが少なくとも含まれ、
前記制御部は、前記ＨＡＲＱプロセスに関するフィールドが所定の値の場合、前記ＰＤＣＣＨを有効とする請求項１記載の端末装置。
【請求項３】
端末装置と通信する基地局装置であって、
アップリンク伝送のためのＰＤＣＣＨを生成する下りリンク制御信号生成部とＳＰ−ＣＳＩを受信する受信部を備え、
前記ＰＤＣＣＨには、ＭＣＳに関するフィールドが少なくとも含まれ、
前記下りリンク制御信号生成部は、少なくとも前記ＭＣＳに関するフィールドを所定の値に設定し、さらに前記ＰＤＣＣＨにＳＰ−ＣＳＩ  ＲＮＴＩによってスクランブリングされたＣＲＣを含め、
前記受信部は、前記ＭＣＳに関するフィールドで設定されたＭＣＳとは異なるＭＣＳで送信されたＰＵＳＣＨを受信する基地局装置。
【発明の詳細な説明】
【技術分野】
【０００１】
本発明は、基地局装置、端末装置およびその通信方法に関する。
【背景技術】
【０００２】
３ＧＰＰ（Third Generation Partnership Project）で仕様化されているＬＴＥ（Long
Term Evolution）の通信システムでは、下りリンクにおいて、伝搬路（チャネル）状態
に応じて符号化率、変調方式、ランク（ストリーム数、レイヤ数）を適応的に制御する適応変調（Link adaptation, Rank adaptation）が適用される。適応変調を行うことで、チャネル品質に応じて適切な伝送レートでの伝送が可能となる。（非特許文献１）
【０００３】
下りリンクで適応変調を行うには、基地局装置が端末装置におけるチャネル品質を把握し、そのチャネル品質に応じて、符号化率、変調方式あるいはランクを決定する必要がある。ＦＤＤシステムの場合、基地局装置が参照信号を送信し、端末装置が受信した参照信号を用いてチャネル品質を算出し、算出されたチャネル品質を端末装置が基地局装置に送信する。算出されたチャネル品質を端末装置が基地局装置に送信することは、ＬＴＥではＣＳＩ（Channel State Information）レポーティングと呼ばれている。ＬＴＥにおいて
ＣＳＩレポーティングは、周期的ＣＳＩレポーティング（periodic CSI reporting）と非周期的ＣＳＩレポーティング（aperiodic CSI reporting）に大別されている。周期的Ｃ
ＳＩレポーティングでは、基本的に、制御信号を送信するためのチャネルであるＰＵＣＣＨ（Physical Uplink Control CHannel）を用いて周期的（定期的）に送信する。一方、
非周期的ＣＳＩレポーティングでは、基地局装置がある端末装置のＣＳＩを必要となった時に、ＰＤＣＣＨ（Physical Downlink Control CHannel）という信号を端末装置に送信
し、ＰＤＣＣＨを受信した端末装置は、情報を送信するためのチャネルであるＰＵＳＣＨ（Physical Uplink Shared CHannel）を用いてＣＳＩを送信する。基地局装置は、上記の２つのＣＳＩレポーティングによって端末装置のチャネル品質を把握し、適応変調に用いている。
【０００４】
３ＧＰＰでは第５世代移動通信(New Radio、NR)の標準化を行っており、標準化の中で、ＬＴＥで採用された周期的ＣＳＩレポーティングと非周期的ＣＳＩレポーティングに加え、準静的ＣＳＩレポーティング（semi-persistent CSI reporting）を採用することが決まっている。準
静的ＣＳＩレポーティングでは、ＰＵＣＣＨを用いる方法とＰＵＳＣＨを用いる方法が提案されている。ＰＵＣＣＨを用いる方法はＭＡＣ  ＣＥを用いてＳＰ−ＣＳＩレポーティングのアクティベーションおよびデアクティベーションを行うことが合意されている。一方、ＰＵＳＣＨを用いるＳＰ−ＣＳＩレポーティングでは、準静的スケジューリング（semi-persistent scheduling; SPS）というＬＴＥで導入された無線リソースの確保方法を
用い、ＳＰＳの仕組みで確保した無線リソースを用いてＣＳＩレポーティングを行う。（非特許文献１、非特許文献２）
【先行技術文献】
【非特許文献】
【０００５】
【非特許文献１】Ericsson,“On UL Data Transmission Procedures”、R1-1721015．
【非特許文献２】NTT DOCOMO，“UL data transmission procedures”、R1-1720824．
【発明の概要】
【発明が解決しようとする課題】
【０００６】
ＳＰ−ＣＳＩレポーティングとＳＰＳは基本的な仕組みは同じだが、一方はＣＳＩをＰＵＳＣＨを用いて運ぶものであり、一方は音声等の情報をＰＵＳＣＨを用いて運ぶものであるため、詳細は異なる。まったく同じ処理では効率が悪いため、それぞれに対して適切な設定が存在することが想定される。
【０００７】
本発明はこのような事情を鑑みてなされたものであり、その目的は、ＳＰ−ＣＳＩレポーティングに関して効率的な制御を行う基地局装置、端末装置及び通信方法を提供することにある。
【課題を解決するための手段】
【０００８】
上述した課題を解決するために本発明に係る基地局装置、端末装置および通信方法の構成は、次の通りである。
【０００９】
（１）本発明の一態様は、基地局装置と通信する端末装置であって、アップリンク伝送のためのＰＤＣＣＨを受信する無線受信部と、前記ＰＤＣＣＨを復号する制御部と、準静的ＣＳＩが含まれるＰＵＳＣＨを送信する送信部を備え、前記制御部はＳＰ−ＣＳＩ  ＲＮＴＩによってスクランブリングされたＣＲＣを含むＰＤＣＣＨを受信し、前記ＰＤＣＣＨには、ＭＣＳに関するフィールドが少なくとも含まれ、前記制御部は、少なくとも前記ＭＣＳに関するフィールドが所定の値の場合、前記ＰＤＣＣＨを有効とし、前記送信部は、前記ＭＣＳに関するフィールドによらず、所定の変調方式で送信を行うことを特徴とする。
【００１０】
（２）また、本発明の一態様は、前記ＰＤＣＣＨには、さらにＨＡＲＱプロセス番号に関するフィールドが少なくとも含まれ、前記制御部は、前記ＨＡＲＱプロセスに関するフィールドが所定の値の場合、前記ＰＤＣＣＨを有効とすることを特徴とする。
【００１１】
（３）また、本発明の一態様は、端末装置と通信する基地局装置であって、アップリンク伝送のためのＰＤＣＣＨを生成する下りリンク制御信号生成部とＳＰ−ＣＳＩを受信する受信部を備え、前記ＰＤＣＣＨには、ＭＣＳに関するフィールドが少なくとも含まれ、前記下りリンク制御信号生成部は、少なくとも前記ＭＣＳに関するフィールドを所定の値に設定し、さらに前記ＰＤＣＣＨにＳＰ−ＣＳＩ  ＲＮＴＩによってスクランブリングされたＣＲＣを含め、前記受信部は、前記ＭＣＳに関するフィールドで設定されたＭＣＳとは異なるＭＣＳで送信されたＰＵＳＣＨを受信することを特徴とする。
【発明の効果】
【００１２】
本発明の一又は複数の態様によれば、基地局装置及び端末装置は、ＳＰ−ＣＳＩレポーティングに関して効率的な制御を行うことができる。
【図面の簡単な説明】
【００１３】
【図１】第１の実施形態に係る通信システム１の構成例を示す図である。
【図２】ＬＴＥのＳＰＳをアクティベートするためのＰＤＣＣＨの有効化を示す図である。
【図３】ＬＴＥのＳＰＳをリリースするためのＰＤＣＣＨの有効化を示す図である。
【図４】第１の実施形態に係る基地局装置の構成例を示す図である。
【図５】第１の実施形態に係る端末装置の構成例を示す図である。
【発明を実施するための形態】
【００１４】
本実施形態に係る通信システムは、基地局装置（セル、スモールセル、サービングセル、コンポーネントキャリア、ｅＮｏｄｅＢ、Ｈｏｍｅ  ｅＮｏｄｅＢ、ｇＮｏｄｅＢ）および端末装置（端末、移動端末、ＵＥ:User Equipment）を備える。該通信システムにおいて、下りリンクの場合、基地局装置は送信装置（送信点、送信アンテナ群、送信アンテナポート群、ＴＲＰ(Tx/Rx Point)）となり、端末装置は受信装置（受信点、受信端末、受信アンテナ群、受信アンテナポート群）となる。上りリンクの場合、基地局装置は受信装置となり、端末装置は送信装置となる。前記通信システムは、Ｄ２Ｄ（Device-to-Device）通信にも適用可能である。その場合、送信装置も受信装置も共に端末装置になる。
【００１５】
前記通信システムは、人間が介入する端末装置と基地局装置間のデータ通信に限定されるものではなく、ＭＴＣ（Machine Type Communication）、Ｍ２Ｍ通信（Machine-to-Machine Communication）、ＩｏＴ（Internet of Things）用通信、ＮＢ−ＩｏＴ（Narrow Band-IoT）等（以下、ＭＴＣと呼ぶ）の人間の介入を必要としないデータ通信の形態にも、適用することができる。この場合、端末装置がＭＴＣ端末となる。前記通信システムは、上りリンク及び下りリンクにおいて、ＣＰ−ＯＦＤＭ（Cyclic Prefix - Orthogonal Frequency Division Multiplexing）等のマルチキャリア伝送方式を用いることができる。前記通信システムは、上りリンクにおいて、ＤＦＴＳ−ＯＦＤＭ（Discrete Fourier Transform Spread - Orthogonal Frequency Division Multiplexing、SC-FDMAとも称される）等の伝送方式を用いてもよい。なお、以下では、上りリンク及び下りリンクにおいて、ＯＦＤＭ伝送方式を用いた場合で説明するが、これに限らず、他の伝送方式を適用することができる。
【００１６】
本実施形態における基地局装置及び端末装置は、無線事業者がサービスを提供する国や地域から使用許可（免許）が得られた、いわゆるライセンスバンド（licensed band）と呼ばれる周波数バンド、及び／又は、国や地域からの使用許可（免許）を必要としない、いわゆるアンライセンスバンド（unlicensed band）と呼ばれる周波数バンドで通信することができる。
【００１７】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００１８】
（第１の実施形態）
図１は、本実施形態に係る通信システム１の構成例を示す図である。本実施形態における通信システム１は、基地局装置１０、端末装置２０を備える。カバレッジ１０ａは、基地局装置１０が端末装置２０と接続可能な範囲（通信エリア）である（セルとも呼ぶ）。なお、基地局装置１０は、カバレッジ１０ａにおいて、複数の端末装置２０を収容することができる。
【００１９】
図１において、上りリンク無線通信ｒ３０は、少なくとも以下の上りリンク物理チャネルを含む。上りリンク物理チャネルは、上位層から出力された情報を送信するために使用される。
・物理上りリンク制御チャネル（ＰＵＣＣＨ）
・物理上りリンク共有チャネル（ＰＵＳＣＨ）
・物理ランダムアクセスチャネル（ＰＲＡＣＨ）
【００２０】
ＰＵＣＣＨは、上りリンク制御情報（Uplink Control Information: UCI）を送信する
ために用いられる物理チャネルである。上りリンク制御情報は、下りリンクデータ（Downlink transport block, Medium Access Control Protocol Data Unit: MAC PDU, Downlink-Shared Channel: DL-SCH, Physical Downlink Shared Channel: PDSCH）に対する肯定
応答（positive acknowledgement: ACK）／否定応答（Negative acknowledgement: NACK
）を含む。ＡＣＫ／ＮＡＣＫは、ＨＡＲＱ−ＡＣＫ（Hybrid Automatic Repeat request ACKnowledgement）、ＨＡＲＱフィードバック、ＨＡＲＱ応答、または、ＨＡＲＱ制御情
報、送達確認を示す信号とも称される。
【００２１】
上りリンク制御情報は、初期送信のためのＰＵＳＣＨ（Uplink-Shared Channel: UL-SCH）リソースを要求するために用いられるスケジューリングリクエスト（Scheduling Request: SR）を含む。スケジューリングリクエストは、初期送信のためのＵＬ−ＳＣＨリソ
ースを要求することを示す。
【００２２】
上りリンク制御情報は、下りリンクのチャネル状態情報（Channel State Information: CSI）を含む。前記下りリンクのチャネル状態情報は、好適な空間多重数（レイヤ数）を示すランク指標（Rank Indicator: RI）、好適なプレコーダを示すプレコーディング行列指標（Precoding Matrix Indicator: PMI）、好適な伝送レートを指定するチャネル品質
指標（Channel Quality Indicator: CQI）などを含む。前記ＰＭＩは、端末装置によって決定されるコードブックを示す。該コードブックは、物理下りリンク共有チャネルのプレコーディングに関連する。前記ＣＱＩは、所定の帯域における好適な変調方式（例えば、ＱＰＳＫ、１６ＱＡＭ、６４ＱＡＭ、２５６ＱＡＭＡＭなど）、符号化率（coding rate
）、および周波数利用効率を指し示すインデックス（ＣＱＩインデックス）を用いることができる。端末装置は、ＰＤＳＣＨのトランスポートブロックが所定のブロック誤り確率（例えば、誤り率０．１）を超えずに受信可能であろうＣＱＩインデックスをＣＱＩテーブルから選択する。なお所定のブロック誤り確率はＲＲＣシグナリングで設定されてもよい。
【００２３】
ＰＵＳＣＨは、上りリンクデータ（Uplink Transport Block、Uplink-Shared Channel:
UL-SCH）を送信するために用いられる物理チャネルであり、伝送方式としては、ＣＰ−ＯＦＤＭ、もしくはＤＦＴ−Ｓ−ＯＦＤＭが適用される。ＰＵＳＣＨは、前記上りリンクデータと共に、下りリンクデータに対するＨＡＲＱ−ＡＣＫおよび／またはチャネル状態情報を送信するために用いられてもよい。ＰＵＳＣＨは、チャネル状態情報のみを送信するために用いられてもよい。ＰＵＳＣＨはＨＡＲＱ−ＡＣＫおよびチャネル状態情報のみを送信するために用いられてもよい。
【００２４】
ＰＵＳＣＨは、無線リソース制御（Radio Resource Control: RRC）シグナリングを送信するために用いられる。ＲＲＣシグナリングは、ＲＲＣメッセージ／ＲＲＣ層の情報／ＲＲＣ層の信号／ＲＲＣ層のパラメータ／ＲＲＣ情報要素とも称される。ＲＲＣシグナリングは、無線リソース制御層において処理される情報／信号である。基地局装置から送信されるＲＲＣシグナリングは、セル内における複数の端末装置に対して共通のシグナリングであってもよい。基地局装置から送信されるＲＲＣシグナリングは、ある端末装置に対して専用のシグナリング（dedicated signalingとも称する）であってもよい。すなわち、ユーザ装置スペシフィック（ユーザ装置固有）な情報は、ある端末装置に対して専用のシグナリングを用いて送信される。ＲＲＣメッセージは、端末装置のＵＥ  Ｃａｐａｂｉｌｉｔｙを含めることができる。ＵＥ  Ｃａｐａｂｉｌｉｔｙは、該端末装置がサポートする機能を示す情報である。
【００２５】
ＰＵＳＣＨは、ＭＡＣ  ＣＥ（Medium Access Control Element）を送信するために用いられる。ＭＡＣ  ＣＥは、媒体アクセス制御層（Medium Access Control layer）において処理（送信）される情報／信号である。例えば、パワーヘッドルームは、ＭＡＣ  ＣＥに含まれ、物理上りリンク共有チャネルを経由して報告されてもよい。すなわち、ＭＡＣ  ＣＥのフィールドが、パワーヘッドルームのレベルを示すために用いられる。上りリンクデータは、ＲＲＣメッセージ、ＭＡＣ  ＣＥを含むことができる。ＲＲＣシグナリング、および／または、ＭＡＣ  ＣＥを、上位層の信号（higher layer signaling）とも称する。ＲＲＣシグナリング、および／または、ＭＡＣ  ＣＥは、トランスポートブロックに含まれる。
【００２６】
ＰＲＡＣＨは、ランダムアクセスに用いるプリアンブルを送信するために用いられる。ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、およびＰＵＳＣＨ（ＵＬ−ＳＣＨ）リソースの要求を示すために用いられる。
【００２７】
上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。上りリンク参照信号には、復調用参照信号（Demodulation Reference Signal: DMRS）、サウンディング参照信号（Sounding Reference Signal: SRS）が含まれる。ＤＭＲＳは、物理上りリンク共有チャネル／物理上りリンク制御チャネルの送信に関連する。例えば、基地局装置１０は、物理上りリンク共有チャネル／物理上りリンク制御チャネルを復調するとき、伝搬路推定／伝搬路補正を行うために復調用参照信号を使用する。
【００２８】
ＳＲＳは、物理上りリンク共有チャネル／物理上りリンク制御チャネルの送信に関連しない。基地局装置１０は、上りリンクのチャネル状態を測定（CSI Measurement）するためにＳＲＳを使用する。
【００２９】
図１において、下りリンクｒ３１の無線通信では、少なくとも以下の下りリンク物理チャネルが用いられる。下りリンク物理チャネルは、上位層から出力された情報を送信するために使用される。
・物理報知チャネル（ＰＢＣＨ）
・物理下りリンク制御チャネル（ＰＤＣＣＨ）
・物理下りリンク共有チャネル（ＰＤＳＣＨ）
【００３０】
ＰＢＣＨは、端末装置で共通に用いられるマスターインフォメーションブロック（Master Information Block: MIB, Broadcast Channel: BCH）を報知するために用いられる。
ＭＩＢはシステム情報の１つである。例えば、ＭＩＢは、下りリンク送信帯域幅設定、システムフレーム番号（ＳＦＮ：System Frame number）を含む。ＭＩＢは、ＰＢＣＨが送信されるスロットの番号、サブフレームの番号、および、無線フレームの番号の少なくとも一部を指示する情報を含んでもよい。
【００３１】
ＰＤＣＣＨは、下りリンク制御情報（Downlink Control Information: DCI）を送信す
るために用いられる。下りリンク制御情報は、用途に基づいた複数のフォーマット（ＤＣＩフォーマットとも称する）が定義される。１つのＤＣＩフォーマットを構成するＤＣＩの種類やビット数に基づいて、ＤＣＩフォーマットは定義されてもよい。各フォーマットは、用途に応じて使われる。下りリンク制御情報は、下りリンクデータ送信のための制御情報と上りリンクデータ送信のための制御情報を含む。下りリンクデータ送信のためのＤＣＩフォーマットは、下りリンクアサインメント（または、下りリンクグラント）とも称する。上りリンクデータ送信のためのＤＣＩフォーマットは、上りリンクグラント（または、上りリンクアサインメント）とも称する。
【００３２】
１つの下りリンクアサインメントは、１つのサービングセル内の１つのＰＤＳＣＨのスケジューリングに用いられる。下りリンクグラントは、該下りリンクグラントが送信されたスロットと同じスロット内のＰＤＳＣＨのスケジューリングのために少なくとも用いられてもよい。下りリンクアサインメントには、ＰＤＳＣＨのためのリソースブロック割り当て、ＰＤＳＣＨに対するＭＣＳ（Modulation and Coding Scheme）、初期送信または再送信を指示するＮＤＩ（NEW Data Indicator）、下りリンクにおけるＨＡＲＱプロセス番号を示す情報、誤り訂正符号化時にコードワードに加えられた冗長性の量を示すＲｅｄｕｄａｎｃｙ  ｖｅｒｓｉｏｎなどの下りリンク制御情報が含まれる。コードワードは、誤り訂正符号化後のデータである。下りリンクアサインメントはＰＵＣＣＨに対する送信電力制御（ＴＰＣ：Transmission Power Control）コマンド、ＰＵＳＣＨに対するＴＰＣコマンドを含めてもよい。上りリンクグラントは、ＰＵＳＣＨを繰り返し送信する回数を示すＲｅｐｅｔｉｔｏｎ  ｎｕｍｂｅｒを含めてもよい。なお、各下りリンクデータ送信のためのＤＣＩフォーマットには、上記情報のうち、その用途のために必要な情報（フィールド）が含まれる。
【００３３】
１つの上りリンクグラントは、１つのサービングセル内の１つのＰＵＳＣＨのスケジューリングを端末装置に通知するために用いられる。上りリンクグラントは、ＰＵＳＣＨを送信するためのリソースブロック割り当てに関する情報（リソースブロック割り当ておよびホッピングリソース割り当て）、ＰＵＳＣＨのＭＣＳに関する情報（ＭＣＳ／Ｒｅｄｕｎｄａｎｃｙ  ｖｅｒｓｉｏｎ）、ＤＭＲＳに施されるサイクリックシフト量、ＰＵＳＣＨの再送に関する情報、ＰＵＳＣＨに対するＴＰＣコマンド、下りリンクのチャネル状態情報（Channel State Information: CSI）要求（CSI request）、など上りリンク制御情報を含む。上りリンクグラントは、上りリンクにおけるＨＡＲＱプロセス番号を示す情報、ＰＵＣＣＨに対する送信電力制御（ＴＰＣ：Transmission Power Control）コマンド、ＰＵＳＣＨに対するＴＰＣコマンドを含めてもよい。なお、各上りリンクデータ送信のためのＤＣＩフォーマットには、上記情報のうち、その用途のために必要な情報（フィールド）が含まれる。
【００３４】
ＰＤＣＣＨは、下りリンク制御情報に巡回冗長検査（Cyclic Redundancy Check: CRC）を付加して生成される。ＰＤＣＣＨにおいて、ＣＲＣパリティビットは、所定の識別子を用いてスクランブル（排他的論理和演算、マスクとも呼ぶ）される。パリティビットは、Ｃ−ＲＮＴＩ（Cell-Radio Network Temporary Identifier）、ＳＰＳ（Semi Persistent Scheduling）Ｃ−ＲＮＴＩ、Ｔｅｍｐｏｒａｒｙ  Ｃ−ＲＮＴＩ、Ｐ（Paging）−ＲＮＴＩ、ＳＩ（System Information）−ＲＮＴＩ、またはＲＡ（Random Access）−ＲＮＴＩでスクランブルされる。Ｃ−ＲＮＴＩおよびＳＰＳ  Ｃ−ＲＮＴＩは、セル内において端末装置を識別するための識別子である。Ｔｅｍｐｏｒａｒｙ  Ｃ−ＲＮＴＩは、コンテンションベースランダムアクセス手順（contention based random access procedure）中に、ランダムアクセスプリアンブルを送信した端末装置を識別するための識別子である。Ｃ−ＲＮＴＩおよびＴｅｍｐｏｒａｒｙ  Ｃ−ＲＮＴＩは、単一のサブフレームにおけるＰＤＳＣＨ送信またはＰＵＳＣＨ送信を制御するために用いられる。ＳＰＳ  Ｃ−ＲＮＴＩは、ＰＤＳＣＨまたはＰＵＳＣＨのリソースを周期的に割り当てるために用いられる。Ｐ−ＲＮＴＩは、ページングメッセージ(Paging Channel: PCH)を送信するために用いら
れる。ＳＩ−ＲＮＴＩは、ＳＩＢを送信するために用いられる、ＲＡ−ＲＮＴＩは、ランダムアクセスレスポンス(ランダムアクセスプロシジャーにおけるメッセージ２)を送信するために用いられる。
【００３５】
端末装置２０は、上りリンクＤＣＩフォーマットを正しく復号した上で、ＰＵＳＣＨ上で準静的ＣＳＩ（ＳＰ−ＣＳＩ）レポーティングを行う。上りリンクＤＣＩフォーマットはフォールバック用のＤＣＩフォーマット０＿０および設定可能なＤＣＩフォーマットであるＤＣＩフォーマット０＿１がある。ＳＰ−ＣＳＩレポーティングのアクティベーションに使用されるＤＣＩフォーマットとしては、ＤＣＩフォーマット０＿０のみに限定してもよい。あるいはＤＣＩフォーマット０＿０とＤＣＩフォーマット０＿１の両方としてもよい。ＳＰ−ＣＳＩレポーティングのリリースはＤＣＩフォーマット０＿０に限定してもよい。その上りリンクＤＣＩフォーマットは、ＣＳＩ測定リンクとＣＳＩリソース設定が上位層で設定された、１または複数のＣＳＩレポーティング設定インディケータを含む。ＰＵＳＣＨ上でのＳＰ−ＣＳＩレポーティングは、ワイドバンド、パーシャルバンド、サ
ブバンドの粒度のタイプ１およびタイプ２ＣＳＩをサポートする。ＰＵＳＣＨのリソースは上りリンクＤＣＩフォーマットによって準静的に割り当てられる。ＰＵＳＣＨを用いるＳＰ−ＣＳＩレポーティングについて、ＳＰ−ＣＳＩレポーティングのアクティベーションはＳＰＳと同様、ＰＤＣＣＨを用いて行われ、ＳＰ−ＣＳＩレポーティングのディアクティベーション（リリース）はＰＤＣＣＨを用いて行われる。その際のＰＤＣＣＨのスクランブリングには上記のＲＮＴＩではなく、ＳＰ−ＣＳＩ  ＲＮＴＩ（あるいはＳＰ−ＣＳＩ  Ｃ−ＲＮＴＩとも呼ばれる）を用いて行われる。端末装置２０の制御部２０４は、ＳＰ−ＣＳＩ  ＲＮＴＩを用いてデスクランブリング（スクランブリングの解除）を行う。ＣＲＣがマッチし、さらにＤＣＩフォーマットの中のフィールドの値が所定の場合にのみ、そのＰＤＣＣＨを有効化し、ＣＲＣでエラーが検出されなくても、ＤＣＩフォーマットの中のフィールドの値が所定の値以外の場合、そのＰＤＣＣＨを破棄する。つまり、以下のすべての条件を満たす場合、端末装置２０は準静的ＣＳＩレポーティングを割り当てるＰＤＣＣＨを有効化する。一つは、ＰＤＣＣＨペイロードのために得られたＣＲＣ冗長ビットが、準静的ＣＳＩ  Ｃ−ＲＮＴＩでスクランブリングされている。２つ目は、新データインディケータフィールドが‘０’に設定されている。ここで、設定可能なＤＣＩフォーマットの場合、その新データインディケータフィールドは、有効となっているトランスポートブロックに関するフィールドを指す。以下で詳細について説明を行う。
【００３６】
図２にＬＴＥにおいてＳＰＳをアクティベートするためのＰＤＣＣＨの有効条件を示すＤＣＩフォーマット０のみがアップリンク伝送のためのＤＣＩフォーマットである。ＬＴＥと同様にＰＤＣＣＨはＣＳ−ＲＮＴＩでスクランブリングされる。図から分かるように、割り当てられたＰＵＳＣＨのためのＴＰＣコマンドは、ＤＣＩフォーマット０の中に２ビットの領域（フィールド）が用意されているが、基地局装置１０の下りリンク制御信号生成部１０６４（あるいは制御部１０４、以下同様）はそれを‘００’に設定する。ＤＭＲＳのサイクリックシフト（Cyclic shift DMRS）は、ＤＣＩフォーマット０の中に３ビットの領域が用意されているが、基地局装置１０の下りリンク制御信号生成部１０６４はそれを‘０００’に設定する。変調方式と符号化率とリダンダンシーバージョンは、ＤＣＩフォーマット０の中に５ビットの領域が用意されているが、基地局装置１０の下りリンク制御信号生成部１０６４はそれの最上位ビット（ＭＳＢ）を‘０’に設定する。したがってＬＴＥにおいてはＳＰＳにおいて、３２列からなるＭＣＳテーブルの内、前半の１６列しか使えない。この結果、テーブルの後半のみに存在する６４ＱＡＭを用いた高い伝送レートはＳＰＳでは使用することができない。
【００３７】
上記のように、ＬＴＥのＳＰＳでは、ＤＣＩフォーマットに追加されるＣＲＣでエラーが検出されないだけではなく、さらにＤＣＩフォーマットに含まれる情報に制限を与えることでＰＤＣＣＨの復号誤りによる誤送信の確率を低下させている。
【００３８】
次にＮＲにおけるＧＦ（grant-free）タイプ２の場合について説明を行う。ＧＦタイプ２の場合、割り当てられたＰＵＳＣＨのためのＴＰＣコマンドに関して、基地局装置１０の下りリンク制御信号生成部１０６４（あるいは制御部１０４）はそれを‘００’に設定する。ここで、値はこれに限定されず、ＧＦタイプ２の伝送の送信電力制御を行うためのパラメータとして用いてもよい。一方、アンテナポートに関する情報（ＬＴＥではＤＭＲＳに関する情報に対応）については、制限をしない。これは複数の端末装置（端末装置２０および他の端末装置）のアップリンク信号を、異なるアンテナポートで送信することで基地局装置１０において信号分離可能とするためである。また、変調方式と符号化率に関しては、ＤＣＩフォーマットの中に５ビットの領域が用意されているが、基地局装置１０の下りリンク制御信号生成部１０６４はそれの最上位ビット（ＭＳＢ）を‘０’に設定する。ただしこれは一例であり、上位層処理部１０２からの上位層シグナリング（ＲＲＣシグナリング等）で０に設定するビット数を変更してもよい。つまり０に設定するビット数は０であってもよいし、全て（５ビット）であってもよい。あるいはＭＳＢではなく最下
位ビット（ＬＳＢ）で規定してもよい。さらに上位層シグナリングではなく、システムで所定の値を基地局装置１０および端末装置２０で共有してもよい。ところで、ＮＲでは２５６ＱＡＭを含むＭＣＳテーブルと２５６ＱＡＭを含まないＭＣＳテーブルが仕様化される予定である。この時、ＳＰ−ＣＳＩレポーティングのためのＰＵＳＣＨが、ＣＳ−ＲＮＴＩでスクランブリングされたＣＲＣがつくＤＣＩフォーマット（ＤＣＩフォーマット０＿０あるいはＤＣＩフォーマット０＿１）で割り当てられる場合に関して、もしＭＣＳテーブルに関する上位パラメータが‘２５６ＱＡＭ’に設定されている場合、端末装置は、そのＰＵＳＣＨで用いられる変調方式（変調オーダー）と目標符号化率を決定するのに、ＤＣＩの中の変調方式と符号化率に関するフィールドと２５６ＱＡＭを含まないテーブルを用いてもよい。ここで符号化率は、割りあてられた無線リソースに含まれるリソースエレメント数とＲＲＣシグナリングで設定されるＣＳＩの情報量と、使用される変調方式（変調オーダー）に基づいて算出される。さらにＮＲではウェーブフォーム（ＣＰ−ＯＦＤＭとＤＦＴ−Ｓ−ＯＦＤＭ）に応じて異なるＭＣＳテーブルが使用されるが、ＳＰ−ＣＳＩレポーティングを行うＰＵＳＣＨでは、上位層パラメータによらず、常に同一のＭＣＳテーブルが使用されてもよい。また、ＮＲではアップリンクにおいてもＨＡＲＱプロセス番号がＤＣＩフォーマットに含まれる。そこでＨＡＲＱプロセス番号は所定の値に設定できる。
【００３９】
端末装置２０の制御部２０４は、ＳＰＳ  Ｃ−ＲＮＴＩを用いてデスクランブリング（スクランブリングの解除）を行う。ＣＲＣがマッチし、さらにＤＣＩフォーマットの中のフィールドの値が所定の場合にのみ、そのＰＤＣＣＨを有効化し、ＣＲＣでエラーが検出されなくても、受信したＤＣＩフォーマットの中のフィールドの値が所定の値以外の場合、そのＰＤＣＣＨを破棄する。
【００４０】
次にＳＰ−ＣＳＩレポーティングの場合について説明を行う。割り当てられたＰＵＳＣＨのためのＴＰＣコマンドに関して、基地局装置１０の下りリンク制御信号生成部１０６４は、それを‘００’に設定する。ここで、値はこれに限定されず、ＳＰ−ＣＳＩレポーティングの伝送の送信電力制御を行うためのパラメータとして用いてもよい。一方、アンテナポートに関する情報（ＬＴＥではＤＭＲＳに関する情報に対応）については、基地局装置１０の下りリンク制御信号生成部１０６４はそれを全て０に設定する。ただし、ＧＦタイプ２と同様、基地局装置１０での分離を前提とする場合、制限を与えず、基地局装置１０は任意の値を設定可能としてもよい。次に変調方式と符号化率に関しては、ＤＣＩフォーマットの中に５ビットの領域が用意されているが、ＣＳＩレポーティングでは送信すべきビット数が不変であるため、変調方式は固定でよい。つまり、全ビットを‘０’に設定し、ＰＤＣＣＨの誤検出率を下げることができる。変調方式としてはＳＰ−ＣＳＩレポーティングに用いる変調方式を例えばＱＰＳＫ（１６ＱＡＭ等であってもよい）と、システムとして規定してもよいし、ＲＲＣシグナリングで設定できるようにしてもよい。あるいはＭＣＳのための５ビットのフィールドの内の１または複数のビットを用いて、（π／２−）ＢＰＳＫ、ＱＰＳＫ、１６ＱＡＭ、６４ＱＡＭ、２５６ＱＡＭの中からいずれか一つを選択してもよい。例えば、５ビットのフィールドの内、上位３ビットは０とし、下位２ビットが‘００’であれば（π／２−）ＢＰＳＫ、‘０１’であればＱＰＳＫ、‘１０’であれば１６ＱＡＭ、‘１１’であれば６４ＱＡＭとしてもよい。有効な下位ビットは１ビットであってもよい。あるいはＮＲのＭＣＳテーブルで指定される変調方式と符号化率の内、符号化率を無視し、変調方式のみを指定できる構成としてもよい。この場合において、０に設定される最上位ビット数は１以外の値であってもよい。
【００４１】
次にＳＰ−ＣＳＩレポーティングを有効化するためのＤＣＩフォーマットのリダンダンシーバージョンに関するフィールドについて説明を行う。ＤＣＩフォーマットの中にリダンダンシーバージョンに関するフィールドが含まれる場合、所定の値、例えば‘００’に設定する。
【００４２】
次にＳＰ−ＣＳＩレポーティングを有効化するためのＤＣＩフォーマットのＨＡＲＱプロセス番号に関するフィールドについて説明を行う。ＳＰＳでは、基地局におけるＰＵＳＣＨの検出に誤りがあった場合、ＨＡＲＱプロセス番号に基づいた再送を行う。一方、ＰＵＳＣＨを用いたＳＰ−ＣＳＩレポーティングにおいて基地局装置１０で検出に誤りがあった場合にＨＡＲＱを適用することを考えた場合、最新ではないＣＳＩを端末装置２０から基地局装置１０に通知することになる。古いＣＳＩは送信しても意味をなさないため、ＣＳＩの再送は効果が低い。そこで、ＳＰ−ＣＳＩレポーティングを有効化するためのＤＣＩフォーマットのＨＡＲＱプロセス番号に関するフィールドは、すべて０に設定する。これによりＰＤＣＣＨの誤検出によるＳＰ−ＣＳＩの誤送信率を低下させることができる。
【００４３】
さらにＤＣＩフォーマットには、ＳＰ−ＣＳＩレポーティングをアクティベートする際に関連しない情報が含まれる。例えば、ホッピングに関する情報（ホッピングフラグ）やリソース割当タイプに関する情報が含まれる。ＣＳＩレポーティングは、基本的に局所的にチャネル品質の高いチャネルを端末装置２０が持っているかいないかを基地局装置１０が把握するための処理であるため、ＳＰ−ＣＳＩレポーティングをアクティベートするＰＤＣＣＨにおいては、ホッピングフラグやリソース割当タイプに関するフィールドはすべて０とした場合に有効としてもよい。
【００４４】
上記では、初期通信時や再接続時に用いるフォールバック用のＤＣＩフォーマットを想定して説明を行った。ＮＲでは、フォールバック用のＤＣＩフォーマットに加えて、設定可能なＤＣＩフォーマットを採用することが合意されている。設定可能なＤＣＩフォーマットでは、ＲＲＣシグナリングによってＤＣＩフォーマットのビット数を柔軟に変更することが可能となる。例えば、ＤＣＩフォーマットの中にＳＰ−ＣＳＩレポーティングに関するフィールドを用意してもよい。またＳＰ−ＣＳＩレポーティングをアクティベートする際に関連しない情報に関しては、すべて０に設定してもよい。ＳＰ−ＣＳＩレポーティングをアクティベートする際に関連しない情報としては、ＭＩＭＯ伝送に関する情報がある。設定可能なＤＣＩフォーマットの中にＰＭＩに関する情報が含まれた場合においても、ＳＰ−ＣＳＩはランク１（シングルストリーム）で送信するため、ＰＭＩに関する情報はすべて０としてもよい。
【００４５】
基地局装置１０の下りリンク制御信号生成部１０６４は、ＤＣＩフォーマットに、ＣＳＩ要求に関する情報が含まれた場合、すべて０に設定する。これは、ＳＰ−ＣＳＩレポーティング自体がＣＳＩを送信するための機能であること、さらに非周期ＣＳＩレポーティングを行うほどダイナミックにＰＤＣＣＨを送信しないため、ＳＰ−ＣＳＩレポーティングを行うためのＰＤＣＣＨによって非周期ＣＳＩレポーティングを行う必要性が低いためである。
【００４６】
ＤＣＩフォーマットが設定可能なＤＣＩフォーマットであり、ＤＣＩフォーマットの中にＢＥＰ（Band Width Part）と呼ばれる、システム帯域の一部のみで受信および／ある
いは送信を行う機能が指定された場合、基地局装置１０の下りリンク制御信号生成部１０６４は、ＳＰ−ＣＳＩレポーティングのため、ＤＣＩフォーマット内のＢＷＰに関するフィールドを全て所定の値、例えば０に設定してもよい。
【００４７】
使用されたＤＣＩフォーマットのすべてのフィールドが上記に基づいて設定された場合、有効化が達成される。有効化が達成された場合、端末装置２０は有効な準静的アクティベーションあるいはリリースとして、受信したＤＣＩ情報をそれぞれ認識する。ＤＣＩフォーマットの中にアップリンクＳＰ−ＣＳＩインデックスフィールドが存在する場合、アップリンクＳＰ−ＣＳＩインデックスフィールドによって指示されたＳＰＳ設定に関してのみ、端末装置２０は有効な準静的アクティベーションあるいはリリースとして、受信したＤＣＩ情報をそれぞれ認識する。なお、ＳＰ−ＣＳＩレポーティングだけではなく、ＧＦタイプ２（ＳＰＳ）についても同様である。有効化が達成されなかった場合、受信したＤＣＩフォーマットは端末装置２０によって、ＣＲＣが通らずに（non-matching CRCで）受信されたとみなされる。
【００４８】
端末装置２０の制御部２０４は、ＳＰ−ＣＳＩ  ＲＮＴＩを用いて付加されたＣＲＣのデスクランブリング（スクランブリングの解除）を行う。ＣＲＣがマッチし、さらにＤＣＩフォーマットの中のフィールドの値が所定の場合にのみ、そのＰＤＣＣＨを有効化し、ＣＲＣでエラーが検出されなくても、ＤＣＩフォーマットの中のフィールドの値が所定の値以外の場合、そのＰＤＣＣＨを破棄する。
【００４９】
このように、ＳＰ−ＣＳＩレポーティングは、ＧＦタイプ２（ＳＰＳ）と送信する信号が異なるため、ＰＤＣＣＨの有効化も異なる条件とする。これにより、送信信号に基づいてＤＣＩフォーマットの所定のフィールドに対して適切な条件を与えることができるため、柔軟な伝送を行いつつ、ＰＤＣＣＨの誤検出率を低下させることができる。
【００５０】
次に、ＳＰ−ＣＳＩ  ＲＮＴＩによるＳＰ−ＣＳＩレポーティングと、Ｃ−ＲＮＴＩによるグラントベースのデータ送信のタイミングが一致した場合について説明を行う。基地局装置１０はＳＰ−ＣＳＩレポーティングがアクティベートされていることを把握しているため、ＳＰ−ＣＳＩレポーティングするはずのＣＳＩを、Ｃ−ＲＮＴＩで割り当てられたＰＵＳＣＨを用い、データ信号と共に送信することが考えらえる。データ信号共にＣＳＩを送信することをピギーバックと呼ぶ。このように、ＳＰ−ＣＳＩレポーティングと、Ｃ−ＲＮＴＩによるグラントベースのデータ送信のタイミングが一致した場合、ピギーバックを用いて伝送を行う。ただし、端末がピギーバックによる送信ができない場合、もしくは基地局装置１０からピギーバックすることを許可されない場合、Ｃ−ＲＮＴＩによるグラントベースのデータ送信を優先する。つまり、端末装置２０は、ＳＰ−ＣＳＩレポーティングをドロップすることになる。
【００５１】
次に、ＳＰ−ＣＳＩ  ＲＮＴＩによるＳＰ−ＣＳＩレポーティングと、ＧＦアクセス（タイプ１およびタイプ２）のタイミングが一致した場合について説明を行う。ＧＦアクセスでは、確保された無線リソースにおいて伝送を行わないことが可能となる。したがってＧＦアクセス用に確保される無線リソースは、他の情報を含む余裕がないことが予想される。つまり、ピギーバックを用いた伝送を行うには高符号化率伝送としなくてはならず、所定の通信品質を満たせなくなる。そこで、ＳＰ−ＣＳＩ  ＲＮＴＩによるＳＰ−ＣＳＩレポーティングと、ＧＦアクセスのタイミングが一致した場合、端末装置２０はＳＰ−ＣＳＩレポーティングの伝送をドロップし、ＧＦ伝送のみを行う。
【００５２】
次に、ＳＰ−ＣＳＩ  ＲＮＴＩによるＳＰ−ＣＳＩレポーティングを終了する方法について説明を行う。ＬＴＥのＳＰＳと同様、ＳＰ−ＣＳＩレポーティングを終了させるには、基地局装置１０の下りリンク制御信号生成部１０６４が、所定の値に設定され、さらにＳＰ−ＣＳＩ  ＲＮＴＩによってスクランブリングされたＣＲＣを含むＤＣＩフォーマット（ＰＤＣＣＨ）を送信する。端末装置２０の制御部２０４は、受信したＰＤＣＣＨをＳＰ−ＣＳＩ  ＲＮＴＩでデスクランブリングし、ＤＣＩフォーマットの所定のフィールドが所定の値である場合、そのＰＤＣＣＨを有効化し、端末装置２０の制御部２０４はＳＰ−ＣＳＩレポーティングを終了する。図３にＬＴＥにおけるＳＰＳをリリースする際に、基地局装置１０が設定するＤＣＩフォーマットのフィールドを示す。アクティベーションを示す図２と同様、端末装置２０は、ＳＰＳ  Ｃ−ＲＮＴＩでデスクランブリングしたＰＤＣＣＨのＤＣＩフォーマットが、図３の設定を満たさなかった場合、ＣＲＣでエラー検出されなかったとしても、ＳＰＳをリリース（ディアクティベート、クリア）しない。ＳＰ−ＣＳＩレポーティングにおいても同様の処理を端末装置は行う。つまり、基地局装置の下りリンク制御信号生成部は、ＳＰ−ＣＳＩ  ＲＮＴＩによってＰＤＣＣＨをスクランブリングし、ＰＤＣＣＨのＤＣＩフォーマットの所定のフィールドに関して、所定の設定（拘束）を与える。ここで、基地局装置１０が複数のＳＰ−ＣＳＩレポーティングを管理する場合、基地局装置の制御部（あるいは下りリンク制御信号生成部）はそのＣＳＩプロセスごとに異なるＨＡＲＱプロセス番号を割り振る。ＳＰ−ＣＳＩレポーティングをリリースする場合、基地局装置の制御部（あるいは下りリンク制御信号生成部）は、リリースするＳＰ−ＣＳＩレポーティングに対応したＨＡＲＱプロセス番号をＤＣＩフォーマットの中のＨＡＲＱプロセス番号に設定する。端末装置２０の制御部は、ＳＰ−ＣＳＩ  ＲＮＴＩによってＰＤＣＣＨのスクランブリングを解除し、ＤＣＩフォーマット中のＨＡＲＱプロセス番号のフィールドの値に応じて、ＳＰ−ＣＳＩレポーティングをリリースする。なお上記はＳＰ−ＣＳＩレポーティングについて説明を行ったが、ＧＦタイプ２において、ＳＰＳ  Ｃ−ＲＮＴＩ（ＣＳ−ＲＮＴＩとも呼ばれる）を用いた場合も同様の処理を行うことで、同一セル内で複数のＧＦ（ＳＰＳ）のアクティベーションおよびリリースを行ってもよい。
【００５３】
ＰＤＳＣＨは、下りリンクデータ（下りリンクトランスポートブロック、DL-SCH）を送信するために用いられる。ＰＤＳＣＨは、システムインフォメーションメッセージ（System Information Block: SIBとも称する。）を送信するために用いられる。ＳＩＢの一部又は全部は、ＲＲＣメッセージに含めることができる。
【００５４】
ＰＤＳＣＨは、ＲＲＣシグナリングを送信するために用いられる。基地局装置から送信されるＲＲＣシグナリングは、セル内における複数の端末装置に対して共通（セル固有）であってもよい。すなわち、そのセル内のユーザ装置共通な情報は、セル固有のＲＲＣシグナリングを使用して送信される。基地局装置から送信されるＲＲＣシグナリングは、ある端末装置に対して専用のメッセージ（dedicated signalingとも称する）であってもよ
い。すなわち、ユーザ装置スペシフィック（ユーザ装置固有）な情報は、ある端末装置に対して専用のメッセージを使用して送信される。
【００５５】
ＰＤＳＣＨによって送信されるＲＲＣシグナリングとしては様々あるが、例えばＳＰ−ＣＳＩレポーティングに関する情報がある。ＳＰ−ＣＳＩレポーティングに関する情報としては、ＳＰ−ＣＳＩを送信する周期、シンボル単位あるいはスロット単位の時間領域オフセット値、ランクに関する情報（Rank Indicator, RI）、チャネル品質に関する情報（Channel Quality Indicator, CQI）、プリコーディングに関す報（Precoding Matrix Indicator, PMI）等の信号の内、どの情報を通知してどの情報を通知しないかがある。さらにはどの情報を何ビットに量子化して送信するかという指定に関する情報を、含んでいてもよい。また複数のコードワードが存在する場合はその送信方法、ワイドバンドＣＱＩおよび／またはサブバンドＣＱＩを送信する場合、どのように送信するか、絶対値ＣＱＩ情報を送信するか差分ＣＱＩ情報を送信するか等をＲＲＣシグナリングによって通知してもよい。
【００５６】
ＧＦタイプ１およびＧＦタイプ２（ＳＰＳ）では、ＲＲＣで繰り返し送信回数が設定される。ＳＰ−ＣＳＩレポーティングでは繰り返し送信回数は常に１とし、ＲＲＣシグナリングでは設定不可能とする。例えばＧＦタイプ２とＳＰ−ＣＳＩレポーティングのＲＲＣシグナリングを共通化した場合、ＧＦタイプ２用に繰り返し回数が設定されていても、ＳＰ−ＣＳＩレポーティングにそのＲＲＣシグナリングを用いる場合、繰り返し回数は１と見なして、ＣＳＩレポーティングを行ってもよい。
【００５７】
ＰＤＳＣＨは、ＭＡＣ  ＣＥを送信するために用いられる。ＲＲＣシグナリングおよび／またはＭＡＣ  ＣＥを、上位層の信号（higher layer signaling）とも称する。ＰＭＣ
Ｈは、マルチキャストデータ（Multicast Channel: MCH）を送信するために用いられる。
【００５８】
図１の下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００５９】
同期信号は、端末装置が、下りリンクの周波数領域および時間領域の同期を取るために用いられる。下りリンク参照信号は、端末装置が、下りリンク物理チャネルの伝搬路推定／伝搬路補正を行なうために用いられる。例えば、下りリンク参照信号は、ＰＢＣＨ、ＰＤＳＣＨ、ＰＤＣＣＨを復調するために用いられる。下りリンク参照信号は、端末装置が、下りリンクのチャネル状態の測定（ＣＳＩ  ｍｅａｓｕｒｅｍｅｎｔ）するために用いることもできる。
【００６０】
下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００６１】
ＢＣＨ、ＵＬ−ＳＣＨおよびＤＬ−ＳＣＨは、トランスポートチャネルである。ＭＡＣ層で用いられるチャネルを、トランスポートチャネルと称する。ＭＡＣ層で用いられるトランスポートチャネルの単位を、トランスポートブロック（ＴＢ：Transport Block）、
または、ＭＡＣ  ＰＤＵ（Protocol Data Unit）とも称する。トランスポートブロックは、ＭＡＣ層が物理層に渡す（deliverする）データの単位である。物理層において、トランスポートブロックはコードワードにマップされ、コードワード毎に符号化処理などが行なわれる。
【００６２】
図４は、本実施形態に係る基地局装置１０の構成の概略ブロック図である。基地局装置１０は、上位層処理部（上位層処理ステップ）１０２、制御部（制御ステップ）１０４、送信部（送信ステップ）１０６、送信アンテナ１０８、受信アンテナ１１０、受信部（受信ステップ）１１２を含んで構成される。送信部１０６は、上位層処理部１０２から入力される論理チャネルに応じて、物理下りリンクチャネルを生成する。送信部１０６は、符号化部（符号化ステップ）１０６０、変調部（変調ステップ）１０６２、下りリンク制御信号生成部（下りリンク制御信号生成ステップ）１０６４、下りリンク参照信号生成部（下りリンク参照信号生成ステップ）１０６６、多重部（多重ステップ）１０６８、および無線送信部（無線送信ステップ）１０７０を含んで構成される。受信部１１２は、物理上りリンクチャネルを検出し（復調、復号など）、その内容を上位層処理部１０２に入力する。受信部１１２は、無線受信部（無線受信ステップ）１１２０、伝搬路推定部（伝搬路推定ステップ）１１２２、多重分離部（多重分離ステップ）１１２４、等化部（等化ステップ）１１２６、復調部（復調ステップ）１１２８、復号部（復号ステップ）１１３０を含んで構成される。
【００６３】
上位層処理部１０２は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層などの物理層より上位層の処理を行なう。上位層処理部１０２は、送信部１０６および受信部１１２の制御を行なうために必要な情報を生成し、制御部１０４に出力する。上位層処理部１０２は、下りリンクデータ（DL-SCHなど）、システム情報(MIB, SIB)などを送信部１０６に出力する。なお、ＤＭＲＳ構成情報はＲＲＣ等の上位レイヤによる通知では
なく、システム情報（ＭＩＢあるいはＳＩＢ）によって端末装置に通知してもよい。
【００６４】
上位層処理部１０２は、ブロードキャストするシステム情報（MIB、又はSIBの一部）を生成、又は上位ノードから取得する。上位層処理部１０２は、ＢＣＨ／ＤＬ−ＳＣＨとして、前記ブロードキャストするシステム情報を送信部１０６に出力する。前記ＭＩＢは、送信部１０６において、ＰＢＣＨに配置される。前記ＳＩＢは、送信部１０６において、ＰＤＳＣＨに配置される。上位層処理部１０２は、端末装置固有のシステム情報(SIB)を生成し、又は上位の―度から取得する。該ＳＩＢは、送信部１０６において、ＰＤＳＣＨに配置される。
【００６５】
上位層処理部１０２は、各端末装置のための各種ＲＮＴＩを設定する。前記ＲＮＴＩは、ＰＤＣＣＨ、ＰＤＳＣＨなどの暗号化（スクランブリング）に用いられる。上位層処理部１０２は、前記ＲＮＴＩを、制御部１０４／送信部１０６／受信部１１２に出力する。
【００６６】
上位層処理部１０２は、ＰＤＳＣＨに配置される下りリンクデータ（トランスポートブロック、DL-SCH）、端末装置固有のシステムインフォメーション（System Information Block: SIB）、ＲＲＣメッセージ、ＭＡＣ  ＣＥ、ＤＭＲＳ構成情報がＳＩＢやＭＩＢの
ようなシステム情報や、ＤＣＩで通知されない場合はＤＭＲＳ構成情報などを生成、又は上位ノードから取得し、送信部１０６に出力する。ＤＭＲＳ構成情報は、アップリンクとダウンリンク、それぞれに対して別々に設定されてもよいし、包括的に設定されるとしてもよい。上位層処理部１０２は、端末装置２０の各種設定情報の管理をする。なお、無線リソース制御の機能の一部は、ＭＡＣレイヤや物理レイヤで行われてもよい。
【００６７】
上位層処理部１０２は、端末装置がサポートする機能（UE capability）等、端末装置
に関する情報を端末装置２０（受信部１１２を介して）から受信する。端末装置２０は、自身の機能を基地局装置１０に上位層の信号（ＲＲＣシグナリング）で送信する。端末装置に関する情報は、その端末装置が所定の機能をサポートするかどうかを示す情報、または、その端末装置が所定の機能に対する導入およびテストの完了を示す情報を含む。所定の機能をサポートするかどうかは、所定の機能に対する導入およびテストを完了しているかどうかを含む。
【００６８】
端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しないようにしてよい。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００６９】
上位層処理部１０２は、受信部１１２から復号後の上りリンクデータ（ＣＲＣも含む）からDL-SCHを取得する。上位層処理部１０２は、端末装置が送信した前記上りリンクデータに対して誤り検出を行う。例えば、該誤り検出はＭＡＣ層で行われる。
【００７０】
制御部１０４は、上位層処理部１０２／受信部１１２から入力された各種設定情報に基づいて、送信部１０６および受信部１１２の制御を行なう。制御部１０４は、上位層処理部１０２／受信部１１２から入力された設定情報に基づいて、下りリンク制御情報（ＤＣＩ）を生成し、送信部１０６に出力する。例えば制御部１０４は、上位層処理部１０２／受信部１１２から入力されたＤＭＲＳに関する設定情報（ＤＭＲＳ構成１であるかＤＭＲＳ構成２であるか）を考慮して、ＤＭＲＳの周波数配置（ＤＭＲＳ構成１の場合は偶数サブキャリアあるいは奇数サブキャリア、ＤＭＲＳ構成２の場合は第０〜第２のセットのい
ずれか）を設定し、ＤＣＩを生成する。ＤＣＩにはＤＭＲＳの周波数配置の他、ＤＭＲＳのサイクリックシフトに関する情報、周波数領域のＯＣＣ（Orthogonal Cover Code）の
符号パターン、複数のＯＦＤＭシンボルに渡ってＤＭＲＳシンボルが設定される場合は時間領域のＯＣＣの符号パターン等が通知されてもよい。ＤＣＩにはＤＭＲＳに関する情報の他、ＭＣＳや周波数割り当てに関する情報等、様々なものが含まれる。
【００７１】
制御部１０４は、伝搬路推定部１１２２で測定されたチャネル品質情報（ＣＳＩ  Ｍｅａｓｕｒｅｍｅｎｔ結果）を考慮して、ＰＵＳＣＨのＭＣＳを決定する。制御部１０４は、前記ＰＵＳＣＨのＭＣＳに対応するＭＣＳインデックスを決定する。制御部１０４は、決定したＭＣＳインデックスをアップリンクグラントに含める。
【００７２】
送信部１０６は、上位層処理部１０２／制御部１０４から入力された信号に従って、ＰＢＣＨ、ＰＤＣＣＨ、ＰＤＳＣＨおよび下りリンク参照信号などを生成する。符号化部１０６０は、上位層処理部１０２から入力されたＢＣＨ、ＤＬ−ＳＣＨなどを、予め定められた／上位層処理部１０２が決定した符号化方式を用いて、ブロック符号、畳み込み符号、ターボ符号、ポーラ符号化、ＬＤＰＣ符号などによる符号化（リピティションを含む）を行なう。符号化部１０６０は、制御部１０４から入力された符号化率に基づいて、符号化ビットをパンクチャリングする。変調部１０６２は、符号化部１０６０から入力された符号化ビットをＢＰＳＫ、ＱＰＳＫ、１６ＱＡＭ、６４ＱＡＭ、２５６ＱＡＭ、等の予め定められた／制御部１０４から入力された変調方式（変調オーダー）でデータ変調する。該変調オーダーは、制御部１０４で選択された前記ＭＣＳインデックスに基づく。
【００７３】
下りリンク制御信号生成部１０６４は、制御部１０４から入力されたＤＣＩに対してＣＲＣを付加する。下りリンク制御信号生成部１０６４は、前記ＣＲＣに対して、ＲＮＴＩを用いて暗号化（スクランブリング）を行う。さらに、下りリンク制御信号生成部１０６４は、前記ＣＲＣが付加されたＤＣＩに対してＱＰＳＫ変調を行い、ＰＤＣＣＨを生成する。下りリンク参照信号生成部１０６６は、端末装置が既知の系列を下りリンク参照信号として生成する。前記既知の系列は、基地局装置１０を識別するための物理セル識別子などの基に予め定められた規則で求まる。
【００７４】
多重部１０６８は、ＰＤＣＣＨ／下りリンク参照信号／変調部１０６２から入力される各チャネルの変調シンボルを多重する。つまり、多重部１０６８は、ＰＤＣＣＨ／下りリンク参照信号を／各チャネルの変調シンボルをリソースエレメントにマッピングする。マッピングするリソースエレメントは、前記制御部１０４から入力される下りリンクスケジューリングによって制御される。リソースエレメントは、１つのＯＦＤＭシンボルと１つのサブキャリアからなる物理リソースの最小単位である。なお、ＭＩＭＯ伝送を行う場合、送信部１０６は符号化部１０６０および変調部１０６２をレイヤ数具備する。この場合、上位層処理部１０２は、各レイヤのトランスポートブロック毎にＭＣＳを設定する。
【００７５】
無線送信部１０７０は、多重された変調シンボルなどを逆高速フーリエ変換（Inverse Fast Fourier Transform: IFFT）してＯＦＤＭシンボルを生成する。無線送信部１０７０は、前記ＯＦＤＭシンボルにサイクリックプレフィックス（cyclic prefix: CP）を付加してベースバンドのディジタル信号を生成する。さらに、無線送信部１０７０は、前記ディジタル信号をアナログ信号に変換し、フィルタリングにより余分な周波数成分を除去し、搬送周波数にアップコンバートし、電力増幅し、送信アンテナ１０８に出力して送信する。
【００７６】
受信部１１２は、制御部１０４の指示に従って、受信アンテナ１１０を介して端末装置２０からの受信信号を検出（分離、復調、復号）し、復号したデータを上位層処理部１０２／制御部１０４に入力する。無線受信部１１２０は、受信アンテナ１１０を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。無線受信部１１２０は、変換したディジタル信号からＣＰに相当する部分を除去する。無線受信部１１２０は、ＣＰを除去した信号に対して高速フーリエ変換（Fast Fourier Transform: FFT）を行い、周波数領域の信号を抽出する。
前記周波数領域の信号は、多重分離部１１２４に出力される。
【００７７】
多重分離部１１２４は、制御部１０４から入力される上りリンクのスケジューリングの情報（上りリンクデータチャネル割当て情報など）に基づいて、無線受信部１１２０から入力された信号をＰＵＳＣＨ、ＰＵＣＣＨ及上りリンク参照信号などの信号に分離する。前記分離された上りリンク参照信号は、伝搬路推定部１１２２に入力される。前記分離されたＰＵＳＣＨ、ＰＵＣＣＨは、等化部１１２６に出力する。
【００７８】
伝搬路推定部１１２２は、上りリンク参照信号を用いて、周波数応答（または遅延プロファイル）を推定する。復調用に伝搬路推定された周波数応答結果は、等化部１１２６へ入力される。伝搬路推定部１１２２は、上りリンク参照信号を用いて、上りリンクのチャネル状況の測定（RSRP(Reference Signal Received Power)、RSRQ(Reference Signal Received Quality)、RSSI(Received Signal Strength Indicator)の測定）を行う。上りリンクのチャネル状況の測定は、ＰＵＳＣＨのためのＭＣＳの決定などに用いられる。
【００７９】
等化部１１２６は、伝搬路推定部１１２２より入力された周波数応答より伝搬路での影響を補償する処理を行う。補償の方法としては、ＭＭＳＥ重みやＭＲＣ重みを乗算する方法や、ＭＬＤを適用する方法等、既存のいかなる伝搬路補償を適用することができる。復調部１１２８は、予め決められている／制御部１０４から指示される変調方式の情報に基づき、復調処理を行う。
【００８０】
復号部１１３０は、予め決められている符号化率／制御部１０４から指示される符号化率の情報に基づいて、前記復調部の出力信号に対して復号処理を行う。復号部１１３０は、復号後のデータ（UL-SCHなど）を上位層処理部１０２に入力する。
【００８１】
図５は、本実施形態における端末装置２０の構成を示す概略ブロック図である。端末装置２０は、上位層処理部（上位層処理ステップ）２０２、制御部（制御ステップ）２０４、送信部（送信ステップ）２０６、送信アンテナ２０８、受信アンテナ２１０および受信部（受信ステップ）２１２を含んで構成される。
【００８２】
上位層処理部２０２は、媒体アクセス制御（ＭＡＣ）層、パケットデータ統合プロトコル（ＰＤＣＰ）層、無線リンク制御（ＲＬＣ）層、無線リソース制御（ＲＲＣ）層の処理を行なう。上位層処理部２０２は、自端末装置の各種設定情報の管理をする。上位層処理部２０２は、自端末装置がサポートしている端末装置の機能を示す情報（UE Capability）を、送信部２０６を介して、基地局装置１０へ通知する。上位層処理部２０２は、UE CapabilityをＲＲＣシグナリングで通知する。
【００８３】
上位層処理部２０２は、ＤＬ−ＳＣＨ、ＢＣＨなどの復号後のデータを受信部２１２から取得する。上位層処理部２０２は、前記ＤＬ−ＳＣＨの誤り検出結果から、ＨＡＲＱ−ＡＣＫを生成する。上位層処理部２０２は、ＳＲを生成する。上位層処理部２０２は、ＨＡＲＱ−ＡＣＫ／ＳＲ／ＣＳＩ（ＣＱＩレポートを含む）を含むＵＣＩを生成する。また上位層処理部２０２は、ＤＭＲＳ構成情報が上位レイヤによって通知されている場合、ＤＭＲＳ構成に関する情報を制御部２０４に入力する。上位層処理部２０２は、前記ＵＣＩやＵＬ−ＳＣＨを送信部２０６に入力する。なお、上位層処理部２０２の機能の一部は、制御部２０４に含めてもよい。
【００８４】
制御部２０４は、受信部２１２を介して受信した下りリンク制御情報（ＤＣＩ）を解釈する。制御部２０４は、上りリンク送信のためのＤＣＩから取得したＰＵＳＣＨのスケジューリング／ＭＣＳインデックス／ＴＰＣ（Transmission Power Control）などに従って、送信部２０６を制御する。制御部２０４は、下りリンク送信のためのＤＣＩから取得したＰＤＳＣＨのスケジューリング／ＭＣＳインデックスなどに従って、受信部２１２を制御する。さらに制御部２０４は、下りリンク送信のためのＤＣＩに含まれるＤＭＲＳの周波数配置に関する情報と、上位層処理部２０２から入力されるＤＭＲＳ構成情報にしたがって、ＤＭＲＳの周波数配置を特定する。
【００８５】
送信部２０６は、符号化部（符号化ステップ）２０６０、変調部（変調ステップ）２０６２、上りリンク参照信号生成部（上りリンク参照信号生成ステップ）２０６４、上りリンク制御信号生成部（上りリンク制御信号生成ステップ）２０６６、多重部（多重ステップ）２０６８、無線送信部（無線送信ステップ）２０７０を含んで構成される。
【００８６】
符号化部２０６０は、制御部２０４の制御に従って（ＭＣＳインデックスに基づいて算出される符号化率に従って）、上位層処理部２０２から入力された上りリンクデータ（UL-SCH）を畳み込み符号化、ブロック符号化、ターボ符号化等の符号化を行う。
【００８７】
変調部２０６２は、ＢＰＳＫ、ＱＰＳＫ、１６ＱＡＭ、６４ＱＡＭ、２５６ＱＡＭ等の制御部２０４から指示された変調方式／チャネル毎に予め定められた変調方式で、符号化部２０６０から入力された符号化ビットを変調する（ＰＵＳＣＨのための変調シンボルを生成する）。
【００８８】
上りリンク参照信号生成部２０６４は、制御部２０４の指示に従って、基地局装置１０を識別するための物理セル識別子（physical cell identity: PCI、Cell IDなどと称される）、上りリンク参照信号を配置する帯域幅、サイクリックシフト、ＤＭＲＳシーケンスの生成に対するパラメータの値、さらに周波数配置などを基に、予め定められた規則（式）で求まる系列を生成する。
【００８９】
上りリンク制御信号生成部２０６６は、制御部２０４の指示に従って、ＵＣＩを符号化、ＢＰＳＫ／ＱＰＳＫ変調を行い、ＰＵＣＣＨのための変調シンボルを生成する。
【００９０】
多重部２０６８は、制御部２０４からの上りリンクスケジューリング情報（ＲＲＣメッセージに含まれる上りリンクのためのＳＰＳにおける送信間隔、ＤＣＩに含まれるリソース割り当てなど）に従って、ＰＵＳＣＨのための変調シンボル、ＰＵＣＣＨのための変調シンボル、上りリンク参照信号を送信アンテナポート毎に多重する（つまり、各信号はリソースエレメントにマップされる）。
【００９１】
無線送信部２０７０は、多重された信号をＩＦＦＴ（Inverse Fast Fourier Transform）して、ＯＦＤＭシンボルを生成する。無線送信部２０７０は、前記ＯＦＤＭシンボルにＣＰを付加し、ベースバンドのディジタル信号を生成する。さらに、無線送信部２０７０は、前記ベースバンドのディジタル信号をアナログ信号に変換し、余分な周波数成分を除去し、アップコンバートにより搬送周波数に変換し、電力増幅し、送信アンテナ２０８を介して基地局装置１０に送信する。
【００９２】
受信部２１２は、無線受信部（無線受信ステップ）２１２０、多重分離部（多重分離ステップ）２１２２、伝搬路推定部（伝搬路推定ステップ）２１４４、等化部（等化ステップ）２１２６、復調部（復調ステップ）２１２８、復号部（復号ステップ）２１３０を含
んで構成される。
【００９３】
無線受信部２１２０は、受信アンテナ２１０を介して受信した下りリンク信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部２１２０は、変換したディジタル信号からＣＰに相当する部分を除去し、ＣＰを除去した信号に対してＦＦＴを行い、周波数領域の信号を抽出する。
【００９４】
多重分離部２１２２は、前記抽出した周波数領域の信号を下りリンク参照信号、ＰＤＣＣＨ、ＰＤＳＣＨ、ＰＢＣＨに分離する。伝搬路推定部２１２４は、下りリンク参照信号（ＤＭ−ＲＳなど）を用いて、周波数応答（または遅延プロファイル）を推定する。復調用に伝搬路推定された周波数応答結果は、等化部１１２６へ入力される。伝搬路推定部２１２４は、下りリンク参照信号（ＣＳＩ−ＲＳなど）を用いて、上りリンクのチャネル状況の測定（RSRP(Reference Signal Received Power)、RSRQ(Reference Signal Received Quality)、RSSI(Received Signal Strength Indicator)、SINR(Signal to Interference plus Noise power Ratio）の測定)を行う。下りリンクのチャネル状況の測定は、ＰＵＳＣＨのためのＭＣＳの決定などに用いられる。下りリンクのチャネル状況の測定結果は、ＣＱＩインデックスの決定などに用いられる。
【００９５】
等化部２１２６は、伝搬路推定部２１２４より入力された周波数応答よりＭＭＳＥ規範に基づく等化重みを生成する。等化部２１２６は、多重分離部２１２２からの入力信号（ＰＵＣＣＨ、ＰＤＳＣＨ、ＰＢＣＨなど）に該等化重みを乗算する。復調部２１２８は、予め決められている／制御部２０４から指示される変調オーダーの情報に基づき、復調処理を行う。
【００９６】
復号部２１３０は、予め決められている符号化率／制御部２０４から指示される符号化率の情報に基づいて、前記復調部２１２８の出力信号に対して復号処理を行う。復号部２１３０は、復号後のデータ（DL-SCHなど）を上位層処理部２０２に入力する。
【００９７】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【００９８】
なお、上述した実施形態における装置の一部、をコンピュータで実現するようにしても良い。その場合、実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであっても良い。
【００９９】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュ
ータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１００】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、ディジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１０１】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１０２】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１０３】
本発明は、基地局装置、端末装置および通信方法に用いて好適である。
【符号の説明】
【０１０４】
１０  基地局装置
２０  端末装置
１０ａ  基地局装置１０が端末装置と接続可能な範囲
１０２  上位層処理部
１０４  制御部
１０６  送信部
１０８  送信アンテナ
１１０  受信アンテナ
１１２  受信部
１０６０  符号化部
１０６２  変調部
１０６４  下りリンク制御信号生成部
１０６６  下りリンク参照信号生成部
１０６８  多重部
１０７０  無線送信部
１１２０  無線受信部
１１２２  伝搬路推定部
１１２４  多重分離部
１１２６  等化部
１１２８  復調部
１１３０  復号部
２０２  上位層処理部
２０４  制御部
２０６  送信部
２０８  送信アンテナ
２１０  受信アンテナ
２１２  受信部
２０６０  符号化部
２０６２  変調部
２０６４  上りリンク参照信号生成部
２０６６  上りリンク制御信号生成部
２０６８  多重部
２０７０  無線送信部
２１２０  無線受信部
２１２２  多重分離部
２１２４  伝搬路推定部
２１２６  等化部
２１２８  復調部
２１３０  復号部
【図１】
2019114849.tif 000003
【図２】
2019114849.tif 000004
【図３】
2019114849.tif 000005
【図４】
2019114849.tif 000006
【図５】
2019114849.tif 000007